【手続補正書】
【提出日】平成18年1月27日(2006.1.27)
【手続補正１】
【補正対象書類名】明細書
【補正対象項目名】特許請求の範囲
【補正方法】変更
【補正の内容】
【特許請求の範囲】
【請求項１】  所定の遊技を実施可能な遊技機であって、
遊技状態の制御を行うメインＣＰＵと、
停電時においても記憶データが保持される記憶領域を有し、前記メインＣＰＵのワークメモリとして使用されるメインメモリと、
演出の制御を行うサブＣＰＵと、
停電時においても記憶データが保持される記憶領域を有し、前記サブＣＰＵのワークメモリとして使用されるサブメモリと、
を備え、
前記メインＣＰＵは、該メインＣＰＵが制御する遊技状態に応じてその時点のメインＣＰＵの制御状態を特定可能な制御情報を、前記サブＣＰＵに対して送信し、
前記サブＣＰＵは、前記メインＣＰＵから送信された制御情報を受信したときに、該受信した制御情報により特定される前記メインＣＰＵの制御状態に応じた演出を実行するとともに、
前記遊技機は、
前記メインＣＰＵ及びサブＣＰＵの駆動電圧の元となる第１の値の電圧から、前記メインＣＰＵ及びサブＣＰＵの駆動に用いるために前記第１の値よりも低い第２の値の電圧を生成する電圧生成手段と、
前記第１の値の電圧を前記電圧生成手段に供給するための第１の電源供給ラインと、
前記電圧生成手段により生成された前記第２の値の電圧を前記メインＣＰＵ及びサブＣＰＵに供給するための第２の電源供給ラインと、
前記第１の電源供給ラインの電圧を監視する第１の電圧監視手段と、
前記第２の電源供給ラインの電圧を監視する第２の電圧監視手段と、
を更に備え、
前記第１の電圧監視手段は、前記第１の電源供給ラインの電圧が、前記第１の値よりも低く、前記第２の値よりも高い第３の値に降下したときに、前記メインＣＰＵに対して第１の電断信号を出力し、
前記第２の電圧監視手段は、前記第２の電源供給ラインの電圧が、前記第２の値よりも低く、前記サブＣＰＵが動作を停止する電圧の値よりも高い第４の値に降下したときに、前記サブＣＰＵに対して第２の電断信号を出力し、
前記メインＣＰＵは、
前記第１の電断信号を検出したときに、遊技状態を復帰させるためのバックアップデータを前記メインメモリに保存するメインバックアップ処理と、
電源投入時に、前記メインメモリに保存されているバックアップデータに基づいて電源断前の遊技状態に復帰させる遊技状態復帰処理と、
を行い、
前記サブＣＰＵは、
前記第２の電断信号を検出したときに、演出状態を復帰させるためのバックアップデータを前記サブメモリに保存するサブバックアップ処理と、
電源投入時に、前記サブメモリに保存されているバックアップデータに基づいて電源断前の演出状態に復帰させる演出状態復帰処理と、
を行う、
ことを特徴とする遊技機。
【手続補正２】
【補正対象書類名】明細書
【補正対象項目名】０００９
【補正方法】変更
【補正の内容】
【０００９】
【課題を解決するための手段】
上記課題を解決するために、本発明の遊技機は、
所定の遊技を実施可能な遊技機であって、
遊技状態の制御を行うメインＣＰＵと、
停電時においても記憶データが保持される記憶領域を有し、前記メインＣＰＵのワークメモリとして使用されるメインメモリと、
演出の制御を行うサブＣＰＵと、
停電時においても記憶データが保持される記憶領域を有し、前記サブＣＰＵのワークメモリとして使用されるサブメモリと、
を備え、
前記メインＣＰＵは、該メインＣＰＵが制御する遊技状態に応じてその時点のメインＣＰＵの制御状態を特定可能な制御情報を、前記サブＣＰＵに対して送信し、
前記サブＣＰＵは、前記メインＣＰＵから送信された制御情報を受信したときに、該受信した制御情報により特定される前記メインＣＰＵの制御状態に応じた演出を実行するとともに、
前記遊技機は、
前記メインＣＰＵ及びサブＣＰＵの駆動電圧の元となる第１の値の電圧から、前記メインＣＰＵ及びサブＣＰＵの駆動に用いるために前記第１の値よりも低い第２の値の電圧を生成する電圧生成手段と、
前記第１の値の電圧を前記電圧生成手段に供給するための第１の電源供給ラインと、
前記電圧生成手段により生成された前記第２の値の電圧を前記メインＣＰＵ及びサブＣＰＵに供給するための第２の電源供給ラインと、
前記第１の電源供給ラインの電圧を監視する第１の電圧監視手段と、
前記第２の電源供給ラインの電圧を監視する第２の電圧監視手段と、
を更に備え、
前記第１の電圧監視手段は、前記第１の電源供給ラインの電圧が、前記第１の値よりも低く、前記第２の値よりも高い第３の値に降下したときに、前記メインＣＰＵに対して第１の電断信号を出力し、
前記第２の電圧監視手段は、前記第２の電源供給ラインの電圧が、前記第２の値よりも低く、前記サブＣＰＵが動作を停止する電圧の値よりも高い第４の値に降下したときに、前記サブＣＰＵに対して第２の電断信号を出力し、
前記メインＣＰＵは、
前記第１の電断信号を検出したときに、遊技状態を復帰させるためのバックアップデータを前記メインメモリに保存するメインバックアップ処理と、
電源投入時に、前記メインメモリに保存されているバックアップデータに基づいて電源断前の遊技状態に復帰させる遊技状態復帰処理と、
を行い、
前記サブＣＰＵは、
前記第２の電断信号を検出したときに、演出状態を復帰させるためのバックアップデータを前記サブメモリに保存するサブバックアップ処理と、
電源投入時に、前記サブメモリに保存されているバックアップデータに基づいて電源断前の演出状態に復帰させる演出状態復帰処理と、
を行う、
ことを特徴としている。
この特徴によれば、メインＣＰＵは、第１の電圧監視手段が監視する電圧の降下に伴ってメインバックアップ処理を行うとともに、サブＣＰＵは、第２の電圧監視手段が監視する電圧の降下に伴ってサブバックアップ処理を行うため、メインＣＰＵ並びにサブＣＰＵにおいて電源断時のバックアップを確実に行うことができる。また、メインＣＰＵが行うメインバックアップ処理よりもサブＣＰＵが行うサブバックアップ処理の方が遅れて行われるため、メインＣＰＵが制御する遊技状態が進行しているにも関わらず、その遊技状態を反映せずにサブバックアップ処理が行われてしまうことを防止できる。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】０２６５
【補正方法】変更
【補正の内容】
【０２６５】
請求項１項の発明によれば、メインＣＰＵは、第１の電圧監視手段が監視する電圧の降下に伴ってメインバックアップ処理を行うとともに、サブＣＰＵは、第２の電圧監視手段が監視する電圧の降下に伴ってサブバックアップ処理を行うため、メインＣＰＵ並びにサブＣＰＵにおいて電源断時のバックアップを確実に行うことができる。また、メインＣＰＵが行うメインバックアップ処理よりもサブＣＰＵが行うサブバックアップ処理の方が遅れて行われるため、メインＣＰＵが制御する遊技状態が進行しているにも関わらず、その遊技状態を反映せずにサブバックアップ処理が行われてしまうことを防止できる。
【手続補正１０】
【補正対象書類名】明細書
【補正対象項目名】０２６６
【補正方法】削除
【補正の内容】
【手続補正１１】
【補正対象書類名】明細書
【補正対象項目名】０２６７
【補正方法】削除
【補正の内容】
【手続補正１２】
【補正対象書類名】明細書
【補正対象項目名】０２６８
【補正方法】削除
【補正の内容】
【手続補正１３】
【補正対象書類名】明細書
【補正対象項目名】０２６９
【補正方法】削除
【補正の内容】
【手続補正１４】
【補正対象書類名】明細書
【補正対象項目名】０２７０
【補正方法】削除
【補正の内容】
【手続補正１５】
【補正対象書類名】明細書
【補正対象項目名】０２７１
【補正方法】削除
【補正の内容】